(57)【要約】【課題】  頭出し検索を行う際にメモリカードから固有のカードＩＤを読み取る頭出し検索機能を備えたビデオカメラでは、カードＩＤとしてカードシリアルナンバーを用いているため、メモリカードへの他のメモリカードの記録情報の複写ができず使い勝手が悪い。【解決手段】  ビデオカメラの電源投入やメモリカードの抜き差し時には、メモリカードにフォルダが存在するかどうか判定し（ステップＳ１２）、存在しないときに限り、新品のメモリカードであると判定してナビフォルダを作成し、カードシリアルナンバーを読み取りカードＩＤとして設定してメモリカードに記録する（ステップＳ１３）。頭出し検索時には、ナビフォルダ内のカードＩＤを読み取るようにしているため、他のメモリカードの記録情報が複写されたメモリカードの場合は、複写されたフォルダのカードＩＤがそのまま利用されることとなる。従って、メモリカードの使い勝手を向上できる。【選択図】            図２
2005311975.tif 000002
【特許請求の範囲】
【請求項１】
撮像素子により撮像して得た被写体像を記録する第１の記録媒体と、前記被写体像の記録開始毎に、その記録開始時の検索用画像と前記第１の記録媒体の記録開始位置情報とを記録する可搬型の第２の記録媒体とを備え、頭出し検索時には、前記第２の記録媒体に記録された検索用画像を表示部に一覧表示し、一覧表示されている検索用画像を選択することにより、選択された検索用画像に対応付けて前記第２の記録媒体に記録されている第１の記録媒体の記録開始位置情報により示される前記第１の記録媒体の位置から頭出し再生を行うビデオカメラであって、
前記第２の記録媒体の初期化処理時に、前記第２の記録媒体内にフォルダが存在するかどうか判定する判定手段と、
前記判定手段により前記フォルダが存在しないと判定されたときに限り、読み出し可能な前記第２の記録媒体の製造番号であるシリアルナンバーの少なくとも一部を第２の記録媒体固有の第２の識別番号に設定したフォルダを作成して前記第２の記録媒体に記録するフォルダ記録手段と、
前記第１の記録媒体に固有の第１の識別番号と前記第２の記録媒体に固有の前記第２の識別番号とを前記被写体像と共に前記第１の記録媒体に記録する第１の記録手段と、
前記検索用画像と前記第１の記録媒体の記録開始位置情報を、前記第１の識別番号と対応付けて前記第２の記録媒体に記録する第２の記録手段と、
前記頭出し検索時に、前記第１の記録媒体から前記第２の識別番号を再生すると共に、前記第２の記録媒体から前記フォルダ内の前記第２の識別番号を読み取って両者が一致するかどうか比較する比較手段と、
前記比較手段により一致の比較結果が得られたときに限り、頭出し再生しようとする前記第１の記録媒体の前記第１の識別番号に対応した検索用画像を、前記第２の記録媒体から読み取って表示部に一覧表示する表示手段と
を有することを特徴とするビデオカメラ。
【発明の詳細な説明】
【技術分野】
【０００１】
本発明はビデオカメラに係り、特に撮像した被写体像の映像信号を第１の記録媒体に記録する毎に、その記録開始時の検索用画像と記録媒体の記録開始位置情報とを可搬型の第２の記録媒体に記録する機能を備えたビデオカメラに関する。
【背景技術】
【０００２】
撮像して得られる被写体像の映像信号を磁気テープに記録する毎に、その記録開始時の撮像映像（初期画像）を静止画であるサムネイル画像として、可搬型記録媒体であるメモリカードに記録する機能を有するビデオカメラが本出願人により提案されている（例えば、特許文献１参照）。
【０００３】
上記の従来のビデオカメラによれば、磁気テープを収納しているテープカセット毎に識別番号であるテープＩＤとテープ番号を割り付け、メモリカードにテープＩＤ毎にフォルダを作成する。すなわち、上記の従来のビデオカメラでは、図４に示すように、電源投入時あるいはメモリカード抜き差し時に（ステップＳ１）、メモリカードにフォルダ（以下、これをナビフォルダという）が存在するかどうかを検出し（ステップＳ２）、新規のメモリカードであるときには、ナビフォルダが存在しないので、ナビフォルダをテープＩＤ毎に作成して（ステップＳ３）、他方、既にナビフォルダが存在するときにはナビフォルダを作成せずに初期化処理を終了する（ステップＳ４）。
【０００４】
上記のサムネイル画像としての静止画を上記のナビフォルダ内に記録する。また、磁気テープには、テープＩＤとメモリカードの固有番号（カードＩＤ）とを各トラックの所定位置に記録する。また、上記の従来のビデオカメラでは、メモリカード内のフォルダには、磁気テープへの録画開始毎にそのときの磁気テープ位置を示すタイムコードをサムネイル画像と対応付けて書き込むようになされている。
【０００５】
頭出し検索時には、ビデオカメラに装填されたテープカセットに収納された磁気テープからテープＩＤとカードＩＤとを再生する一方、メモリカードからは図５に示すように、メモリカードのカードＩＤの読み取りのため、そのメモリカード毎に固有に割り当てられているカード製造番号であるカードシリアルナンバー（Ｎｏ.）を読み取る（ステップＳ１０）。なお、カードＩＤはカードシリアルナンバーの一部でもよい。
【０００６】
ビデオカメラは、磁気テープから再生したカードＩＤとメモリカードのカードＩＤ（すなわち、カードシリアルナンバー）とが一致した場合は、テープＩＤに対応したメモリカード内のナビフォルダから検索用のサムネイル画像を読み出して一覧表示させる。そして、上記の従来のビデオカメラは、この一覧表示されたサムネイル画像の中から頭出し再生しようとする内容を示すサムネイル画像にカーソルを移動して選択するなどの操作がなされることにより、その選択されたサムネイル画像の記録開始位置の磁気テープ位置を頭出し検索して、検索した記録開始位置からそのサムネイル画像に関する記録動画信号を再生する頭出し検索機能を有する。
【０００７】
【特許文献１】特開２００２−２１８３６６号公報
【発明の開示】
【発明が解決しようとする課題】
【０００８】
しかるに、上記の従来のビデオカメラでは、カードＩＤとして上記のようにカード固有のカードシリアルナンバーを用いているため、使い勝手が悪いという問題がある。これは、例えば、＃１、＃２、＃３の各磁気テープのサムネイル画像とタイムコードを記録していた１６Ｍバイトのメモリカードの記録情報を、１２８Ｍバイトの新規なメモリカードに移し変えて使用しようとして、１６Ｍバイトのメモリカードの記録情報を１２８Ｍバイトの新規のメモリカードに複写したとしても、従来のビデオカメラでは、メモリカードのカードＩＤの読み取りの際には、その複写後の１２８Ｍバイトのメモリカードから図５のステップＳ１０に示したように、その１２８Ｍバイトのメモリカードのカードシリアルナンバー（Ｎｏ.）を読み取るのに対し、テープＩＤ＃１、＃２及び＃３のいずれの磁気テープを再生しても、その磁気テープから再生されるカードＩＤは、複写元の１６Ｍバイトのメモリカードのカードシリアルナンバーであるため、両者は常に不一致となり、複写後の１２８Ｍバイトのメモリカード内のナビフォルダから検索用のサムネイル画像を読み出すことができないためである。従って、上記の場合は、１２８Ｍバイトのメモリカードにグレードアップしたい場合は、それまでに使っていた１６Ｍバイトのメモリカードと組み合わせるしかなく、使い勝手が悪い。
【０００９】
本発明は以上の点に鑑みなされたもので、頭出し検索機能のための可搬型記録媒体の使い勝手を向上し得るビデオカメラを提供することを目的とする。
【課題を解決するための手段】
【００１０】
本発明は上記の目的を達成するため、撮像素子により撮像して得た被写体像を記録する第１の記録媒体と、被写体像の記録開始毎に、その記録開始時の検索用画像と第１の記録媒体の記録開始位置情報とを記録する可搬型の第２の記録媒体とを備え、頭出し検索時には、第２の記録媒体に記録された検索用画像を表示部に一覧表示し、一覧表示されている検索用画像を選択することにより、選択された検索用画像に対応付けて第２の記録媒体に記録されている第１の記録媒体の記録開始位置情報により示される第１の記録媒体の位置から頭出し再生を行うビデオカメラであって、第２の記録媒体の初期化処理時に、第２の記録媒体内にフォルダが存在するかどうか判定する判定手段と、判定手段によりフォルダが存在しないと判定されたときに限り、読み出し可能な第２の記録媒体の製造番号であるシリアルナンバーの少なくとも一部を第２の記録媒体固有の第２の識別番号に設定したフォルダを作成して第２の記録媒体に記録するフォルダ記録手段と、第１の記録媒体に固有の第１の識別番号と第２の記録媒体に固有の第２の識別番号とを被写体像と共に第１の記録媒体に記録する第１の記録手段と、検索用画像と第１の記録媒体の記録開始位置情報を、第１の識別番号と対応付けて第２の記録媒体に記録する第２の記録手段と、頭出し検索時に、第１の記録媒体から第２の識別番号を再生すると共に、第２の記録媒体からフォルダ内の第２の識別番号を読み取って両者が一致するかどうか比較する比較手段と、比較手段により一致の比較結果が得られたときに限り、頭出し再生しようとする第１の記録媒体の第１の識別番号に対応した検索用画像を、第２の記録媒体から読み取って表示部に一覧表示する表示手段とを有する構成としたものである。
【００１１】
この発明では、可搬型の第２の記録媒体が新品の記録媒体で何も記録されていないときには、読み出し可能な第２の記録媒体の製造番号であるシリアルナンバーの少なくとも一部を第２の記録媒体固有の第２の識別番号に設定したフォルダが記録されるため、頭出し検索時に、第１の記録媒体から第２の識別番号を再生すると共に、第２の記録媒体からフォルダ内の第２の識別番号を読み取って両者が一致するかどうか比較したときには、一致の比較結果が得られる。
【００１２】
また、可搬型の第２の記録媒体に対して、他の同種の第２の記録媒体に記録された記録情報（フォルダ、第２の識別番号、第１の識別番号に対応付けた検索用画像等）が複写されたときには、複写後の第２の記録媒体には、複写前の他の記録媒体に記録されていたフォルダ及び第２の識別番号がそのまま継承されるため、頭出し検索時に、第１の記録媒体から第２の識別番号を再生すると共に、第２の記録媒体からフォルダ内の第２の識別番号を読み取って両者が一致するかどうか比較したときには、一致の比較結果が得られる。
【発明の効果】
【００１３】
本発明によれば、可搬型の第２の記録媒体に対して、他の同種の第２の記録媒体に記録された記録情報（フォルダ、第２の識別番号、第１の識別番号に対応付けた検索用画像等）が複写されたときには、複写後の第２の記録媒体には、複写前の他の記録媒体に記録されていたフォルダ及び第２の識別番号がそのまま継承され、頭出し検索時に、第１の記録媒体から再生した第２の識別番号と、第２の記録媒体から読み取ったフォルダ内の第２の識別番号との一致の比較結果が得られるため、メモリカード等の可搬型の第２の記録媒体を、他の同種の可搬型記録媒体の記録情報を複写して使用でき、よって、従来に比べて使い勝手を向上できる。
【発明を実施するための最良の形態】
【００１４】
次に、本発明を実施するための最良の形態について図面と共に説明する。図１は本発明になるビデオカメラの一実施の形態のブロック図を示す。本実施の形態のビデオカメラは、本出願人が先に特開２００２−２１８３６６号公報にて開示したビデオカメラを利用している。まず、記録時の動作について説明する。レンズ１により集束された被写体からの入射光は、撮像素子２に結像されて光電変換され、撮像信号としてＡ／Ｄ変換器３に供給されてディジタル信号に変換される。このＡ／Ｄ変換器３から出力されたディジタル信号は、画像処理ＤＳＰ（ディジタル・シグナル・プロセッサ）４に供給されて輝度信号Ｙと２種類の色差信号（Ｒ−Ｙ）及び（Ｂ−Ｙ）に変換されると共に、自動利得制御（ＡＧＣ）、ガンマ補正、セットアップ等の各種の信号処理が施される。
【００１５】
一方、操作部６によって動画記録（録画）の指示がなされると、その指示信号は中央処理マイコン５に入力される。中央処理マイコン５は、ビデオカメラ全体を統括的に制御する制御部を構成しており、上記の指示信号入力に基づき、画像処理ＤＳＰ４及びデッキ制御マイコン８に動画記録の指示を示す制御信号を供給する。デッキ制御マイコン８は、ＤＶ信号処理ＤＳＰ７へ制御信号等を供給する。
【００１６】
ＤＶ信号処理ＤＳＰ７は、画像処理ＤＳＰ４から供給された輝度信号及び２種類の色差信号からなる映像信号に対して、ＤＶ規格に基づいた圧縮処理やシャフリング処理等を施すと共に、トラッキング情報、サブコードエリアの情報、オーディオ記録形式の情報、タイムコード、日時情報等の各種の制御データを加え、ＤＶフォーマット信号としてプレレコーディングアンプ９に供給し、ここでＮＲＺＩ変調させた後回転ヘッド１０に供給して、磁気テープ１１に傾斜トラック１１ａを順次に形成して記録させる。なお、回転ヘッド１０は実際には回転ドラム（図示せず）に複数個搭載され、それらが順次巡回的に使用されるが、図示の便宜上、代表して１つのみ図示している。
【００１７】
ここで、本実施の形態のビデオカメラでは、操作部６によって動画記録の指示がなされた際に、撮影した初期画像（記録開始時の映像）を静止画（サムネイル画像）として、可搬型記録媒体であるメモリカード１６に記録する機能を有し、この静止画（サムネイル画像）を利用してテープ頭出し検索を行う機能も有する。
【００１８】
すなわち、操作部６によって動画記録の指示がなされると、中央処理マイコン５は静止画記録再生制御マイコン１４へ静止画記録を行うように制御信号を供給する。これにより、静止画記録再生制御マイコン１４は静止画ＤＳＰ１２を制御して、画像処理ＤＳＰ４で生成された撮像動画像の輝度信号と２種類の色差信号からなる映像信号を静止画ＤＳＰ１２に取り込ませる。静止画ＤＳＰ１２に供給された映像信号は、一旦シンクロナス・ダイナミック・ランダム・アクセス・メモリ（ＳＤＲＡＭ）１３に記憶された後、静止画ＤＳＰ１２により読み出されてＪＰＥＧ圧縮処理が施され、更に静止画像の三原色信号に変換されて静止画記録再生制御マイコン１４に供給される。
【００１９】
静止画記録再生制御マイコン１４は、入力された静止画像の三原色信号をインタフェース（Ｉ／Ｆ）部１５を介してメモリカード１６に供給して記憶させる。このメモリカード１６に記憶された静止画は、撮影開始時の画像より、例えば水平１６０画素×垂直１２０画素程度のサムネイル画像（静止画ファイル）である。
【００２０】
次に、再生時の動作について説明する。操作部６によって、磁気テープ１１に記録された情報の再生の指示がなされると、回転ヘッド１０により磁気テープ１１から再生された信号はプレレコーディングアンプ９により前置増幅されてＤＶ信号処理ＤＳＰ７に供給され、ここで伸長処理やデシャフリング処理等が施される。画像処理ＤＳＰ４は、ＤＶ信号処理ＤＳＰ７から入力された再生映像信号を、コンポーネント信号あるいはコンポジット信号に変換して、Ｄ／Ａ変換器１７を介してＡＶ出力部１８に供給し、映像信号及び音声信号を出力させる。
【００２１】
一方、デッキ制御マイコン８は、ＤＶ信号処理ＤＳＰ７から入力された制御データを中央処理マイコン５に供給する。制御データのうち、タイムコードや日時情報等は表示情報として画像処理ＤＳＰ４に供給されて、再生映像信号に重畳される。
【００２２】
また、操作部６によって、メモリカード１６の記録静止画の再生の指示がなされると、メモリカード１６から再生された静止画ファイルは、Ｉ／Ｆ部１５及び静止画記録再生制御マイコン１４を介して静止画ＤＳＰ１２に供給される。静止画ＤＳＰ１２は、入力された静止画ファイルを一旦ＳＤＲＡＭ１３に書き込んだ後読み出し、読み出した静止画信号にＪＰＥＧ伸長処理を施して画像処理ＤＳＰ４に供給する。画像処理ＤＳＰ１４は、静止画信号の所定の信号に変換した後、Ｄ／Ａ変換器１７を介してＡＶ出力部１８に供給し、静止画を出力させる。
【００２３】
静止画の画像サイズや日時情報等の各種の制御データは、静止画ＤＳＰ１２から静止画記録再生制御マイコン１４を介して中央処理マイコン５へ供給される。制御データのうち、日時情報等は表示情報として画像処理ＤＳＰ４に入力され、映像信号に重畳される。この静止画は、磁気テープ１１に記録した映像を頭出し検索するためのサムネイル画像として用いる場合に再生される。
【００２４】
ところで、本実施の形態では、静止画記録再生制御マイコン１４は、図２のフローチャートに示すように、電源投入又は装置に対するメモリカード１６の抜き差しがあると（ステップＳ１１）、メモリカード１６にナビフォルダが存在するかどうか判定し（ステップＳ１２）、ナビフォルダが存在しないときには新規なメモリカードであると判定してメモリカード１６にナビフォルダを作成し、そのメモリカード１６の読み出し可能な製造番号であるカードシリアルナンバーの少なくとも一部をカードＩＤとしてメモリカード１６の所定の領域に設定し（ステップＳ１３）、初期化処理を終了する（ステップＳ１４）。
【００２５】
一方、ステップＳ１２でメモリカード１６にナビフォルダが存在すると判定したときには、そのメモリカード１６は既に使用したことのあるメモリカードであると判断して、ナビフォルダの作成及びカードＩＤの設定を行うことなく、初期化処理を終了する（ステップＳ１４）。
【００２６】
また、本実施の形態では、磁気テープ１１を収納しているテープカセット毎に識別番号であるテープＩＤとテープ番号を割り付け、メモリカード１６のナビフォルダ内には、上記のカードＩＤを記録すると共にテープＩＤ毎にフォルダを作成し、上記のサムネイル画像としての静止画をそのテープＩＤに対応したフォルダ内に記録する。従って、一つのナビフォルダ内にはテープＩＤの数に対応した数のフォルダが作成されるが、それらのカードＩＤは共通である。また、磁気テープ１１には、テープＩＤとメモリカード１６のカードＩＤを、各トラック１１ａのサブコードエリア１１ａ１に継続的に(例えば全トラックに)記録する。
【００２７】
更に、デッキ制御マイコン８は、磁気テープの位置情報(タイムコード)を管理しており、中央処理マイコン５を介して静止画記録再生制御マイコン１４へタイムコードを供給し、撮影開始時のタイムコードをサムネイル画像と対応付けて、メモリカード１６の前記テープＩＤに対応したフォルダ内に書き込む。
【００２８】
以上のタイムコードを付加したサムネイル画像の記録は、録画を開始する毎に行われる。なお、録画の開始時とは、録画を完全に停止させた状態から録画を新たに開始させる場合だけでなく、撮像された映像信号が入力されている状態において、録画を一時的に停止させた録画待機の状態から一時停止を解除して録画を開始する場合も含む。
【００２９】
次に、本実施の形態のテープ頭出し動作について説明する。磁気テープ１１を収納しているテープカセットが装填されると、中央処理マイコン５及びデッキ制御マイコン８は、磁気テープ１１を少し巻き戻し、磁気テープ１６に書き込まれているテープＩＤとカードＩＤを読み取る。これにより、装填されたテープカセットのテープＩＤが判明する。
【００３０】
一方、静止画記録再生制御マイコン１４は、Ｉ／Ｆ部１５を介してメモリカード１６からナビフォルダ内のカードＩＤを読み取り（図３のステップＳ２０）、そのカードＩＤを中央処理マイコン５へ転送する。ここで、本実施の形態では図２に示した初期化処理により、メモリカード１６にはナビフォルダが必ず作成されており、そのナビフォルダ内にはカードＩＤが記録されている。
【００３１】
中央処理マイコン５は、メモリカード１６から読み取ったカードＩＤと、磁気テープ１１から再生したカードＩＤとが一致すれば、磁気テープ１１から再生したテープＩＤに対応したメモリカード１６内のフォルダから検索用のサムネイル画像を読み出すことができる。
【００３２】
操作部６における検索用スイッチの操作に応じて、テープＩＤに対応したフォルダから再生された一又は二以上のサムネイル画像がＡＶ出力部１８から出力されて表示されるので、ユーザは頭出ししたいサムネイル画像にカーソルを移動させてスイッチを押下する等して、頭出ししたいサムネイル画像を決定する。静止画記録再生制御マイコン１４は、決定されたサムネイル画像に対応付けられているタイムコードを、Ｉ／Ｆ部１５を介してメモリカード１６から読み出して中央処理マイコン５に供給し、磁気テープ１１のサブコードエリア１１ａ１から現在再生されるタイムコードに基づき取得される磁気テープ１１の現在位置と比較する。
【００３３】
中央処理マイコン５は、磁気テープ１１の現在位置が頭出ししようとするテープ位置よりも前であれば磁気テープを巻き戻し、現在位置よりも後であれば磁気テープ１１を早送りするように、デッキ制御マイコン８に制御信号を供給する。これにより、頭出ししたいサムネイル画像に対応した動画が頭出し再生される。
【００３４】
以上の頭出し検索機能を有するビデオカメラにおいて、本実施の形態では、静止画記録再生制御マイコン１４によるメモリカード１６のカードＩＤ読み取り時には、図３のフローチャートのステップＳ２０に示したように、カードシリアルナンバーではなく、ナビフォルダ内のカードＩＤを読み取るようにしている。
【００３５】
このため、メモリカード１６が、例えば、＃１、＃２、＃３の各磁気テープのサムネイル画像とタイムコードを記録していた１６Ｍバイトのメモリカードの記録情報（カードＩＤ及びテープ管理情報）を、パーソナルコンピュータを用いて読み出して複写した１２８Ｍバイトの新規なメモリカード（古い１６ＭバイトのメモリカードのカードＩＤ及びテープ管理情報を継承したメモリカード）であるものとすると、メモリカード１６のナビフォルダには、複写元の１６ＭバイトのメモリカードのカードＩＤが存在するので、静止画記録再生制御マイコン１４による１２８Ｍバイトのメモリカード１６のカードＩＤ読み取り時には、複写元の１６ＭバイトのメモリカードのカードＩＤがナビフォルダから読み取られる。
【００３６】
従って、本実施の形態によれば、メモリカード１６から読み取ったカードＩＤは、テープＩＤ＃１、＃２及び＃３のいずれの磁気テープを再生しても、その磁気テープから再生されるカードＩＤと常に一致することとなり、その結果、複写後の１２８Ｍバイトのメモリカード内のナビフォルダから検索用のサムネイル画像を正常に読み出すことができる。これにより、本実施の形態によれば、メモリカード１６の使い勝手を向上することができる。
【００３７】
なお、本発明は上記の実施の形態に限定されるものではなく、例えば、複写元のメモリカードと複写先のメモリカードの容量は同じであってもよい。
【図面の簡単な説明】
【００３８】
【図１】本発明の一実施の形態のブロック図である。
【図２】図１のメモリカードの初期化処理の一例のフローチャートである。
【図３】図１のカードＩＤ読み取り時のフローチャートである。
【図４】従来のビデオカメラのメモリカードの初期化処理の一例のフローチャートである。
【図５】従来のビデオカメラのカードＩＤ読み取り時のフローチャートである。
【符号の説明】
【００３９】
２  撮像素子
４  画像処理ＤＳＰ(ディジタル・シグナル・プロセッサ)
５  中央処理マイコン
６  操作部
７  ＤＶ信号処理ＤＳＰ(ディジタル・シグナル・プロセッサ)
８  デッキ制御マイコン
１０  回転ヘッド
１１  磁気テープ
１２  静止画ＤＳＰ(ディジタル・シグナル・プロセッサ)
１４  静止画記録再生制御マイコン
１６  メモリカード
【図１】
2005311975.tif 000003
【図２】
2005311975.tif 000004
【図３】
2005311975.tif 000005
【図４】
2005311975.tif 000006
【図５】
2005311975.tif 000007